(57)【特許請求の範囲】
【請求項１】
ユーザー設備が、第１ダウンリンク制御情報（Downlink Control Information, DCI）フォーマット情報を受信後、第１ＤＣＩフォーマット情報の送信電力制御（Transmit Power Control, TPC）フィールドに非ＴＰＣ命令があるか否かを判断するステップと、
前記第１ＤＣＩフォーマット情報のＴＰＣフィールドに非ＴＰＣ命令があり、かつ、前記ユーザー設備が第１ＤＣＩフォーマット情報を受信するダウンリンクサブフレームにおいて、第２ＤＣＩフォーマット情報を受信する場合、前記ユーザー設備が第２ＤＣＩフォーマット情報におけるＴＰＣ命令を用いて、物理アップリンク制御チャネル（ＰＵＣＣＨ）の電力制御を行うステップと、
を備えることを特徴とする電力制御の方法。
【請求項２】
前記ユーザー設備の第１ＤＣＩフォーマット情報のＴＰＣフィールドに非ＴＰＣ命令があるか否かを判断した後、さらに、
前記第１ＤＣＩフォーマット情報のＴＰＣフィールドにＴＰＣ命令がある場合、前記ユーザー設備は、第１ＤＣＩフォーマット情報におけるＴＰＣ命令を用いて物理アップリンク制御チャネル（ＰＵＣＣＨ）の電力制御を行うステップと、
前記第１ＤＣＩフォーマット情報のＴＰＣフィールドに非ＴＰＣ命令があり、かつ、前記ユーザー設備が、第１ＤＣＩフォーマット情報を受信するダウンリンクサブフレームにおいて、第２ＤＣＩフォーマット情報を受信しない場合、前記ユーザー設備が、ＰＵＣＣＨの電力調整値が０であると確認するステップと、
を備えることを特徴とする請求項１に記載の電力制御の方法。
【請求項３】
前記第２ＤＣＩフォーマット情報のダウンリンクサブフレームにおいて第１ＤＣＩフォーマット情報を受信しない場合、前記ユーザー設備が、第２ＤＣＩフォーマット情報におけるＴＰＣ命令を用いて、ＰＵＣＣＨの電力制御を行うことを特徴とする請求項１に記載の電力制御の方法。
【請求項４】
前記第１ＤＣＩフォーマット情報は、ＤＣＩフォーマット１Ａ、ＤＣＩフォーマット１Ｂ、ＤＣＩフォーマット１Ｄ、ＤＣＩフォーマット１、ＤＣＩフォーマット２Ａ、ＤＣＩフォーマット２Ｂ、ＤＣＩフォーマット２ＣおよびＤＣＩフォーマット２のうちの１つであり、
前記第２ＤＣＩフォーマット情報は、ＤＣＩフォーマット３ＡとＤＣＩフォーマット３のうちの１つであることを特徴とする請求項１〜３のいずれかに記載の電力制御の方法。
【請求項５】
前記ユーザー設備の第１ＤＣＩフォーマット情報のＴＰＣフィールドに非ＴＰＣ命令があるか否かを判断する前に、
前記ユーザー設備ネットワーク側配置したＰＵＣＣＨフォーマットに基づき、前記第１ＤＣＩフォーマットにおけるＴＰＣフィールドが非ＴＰＣ命令を指示できると確認するステップをさらに備えることを特徴とする請求項１〜３のいずれかに記載の電力制御の方法。
【請求項６】
前記ユーザー設備の第１ＤＣＩフォーマット情報のＴＰＣフィールドに非ＴＰＣ命令があるか否かを判断するステップは、
前記ユーザー設備の第１ＤＣＩフォーマット情報におけるダウンリンク割当インデクス（ＤＡＩ）に基づき、第１ＤＣＩフォーマット情報のＴＰＣフィールドに非ＴＰＣ命令があるか否かを判断するステップを備えることを特徴とする請求項１〜３のいずれかに記載の電力制御の方法。
【請求項７】
ネットワーク側が、第１ダウンリンク制御情報（ＤＣＩ）フォーマット情報における送信電力制御（ＴＰＣ）フィールドにおいて非ＴＰＣ命令を設定しなければならないか否かを判断するステップと、
第１ＤＣＩフォーマット情報におけるＴＰＣフィールドにおいて非ＴＰＣ命令を設定しなければならない場合、前記ネットワーク側が、第１ＤＣＩフォーマット情報のＴＰＣフィールドにおいて非ＴＰＣ命令を設定するステップと、
前記ネットワーク側が、ダウンリンクサブフレームにおいて前記第１ＤＣＩフォーマット情報および／または前記第２フォーマット情報を送信するステップと、を備え、
前記第２フォーマット情報におけるＴＰＣ命令は、物理アップリンク制御チャネル（ＰＵＣＣＨ）の電力情報であることを特徴とする電力制御情報を送信する方法。
【請求項８】
第１ＤＣＩフォーマット情報におけるＴＰＣフィールドにＴＰＣ命令がある場合、前記ネットワーク側が、第１ＤＣＩフォーマット情報のＴＰＣフィールドにおいて、ＴＰＣ命令を設定し、かつ、第１ＤＣＩフォーマット情報におけるＴＰＣ命令をＰＵＣＣＨの電力情報と設定するステップと、
前記ネットワーク側が、前記第１ＤＣＩフォーマット情報を送信するステップと、
を備えることを特徴とする請求項７に記載の電力制御情報を送信する方法。
【請求項９】
前記第１ＤＣＩフォーマット情報は、ＤＣＩフォーマット１Ａ、ＤＣＩフォーマット１Ｂ、ＤＣＩフォーマット１Ｄ、ＤＣＩフォーマット１、ＤＣＩフォーマット２Ａ、ＤＣＩフォーマット２Ｂ、ＤＣＩフォーマット２ＣおよびＤＣＩフォーマット２のうちの１つであり、
前記第２ＤＣＩフォーマット情報は、ＤＣＩフォーマット３ＡとＤＣＩフォーマット３のうちの１つであることを特徴とする請求項７または８に記載の電力制御情報を送信する方法。
【請求項１０】
前記ネットワーク側が、第１ＤＣＩフォーマット情報におけるＴＰＣフィールドにおいて非ＴＰＣ命令を設定しなければならないか否かを判断する前に、
前記ネットワーク側が、前記第１ＤＣＩフォーマットにおけるＴＰＣフィールドが非ＴＰＣ命令を指示できると確認するステップをさらに備え、
前記ネットワーク側が、前記第１ＤＣＩフォーマット情報を送信する前に、
前記ネットワーク側が、ユーザー設備にＰＵＣＣＨフォーマットを配置することにより、前記ユーザー設備に前記第１ＤＣＩフォーマットにおけるＴＰＣフィールドが非ＴＰＣ命令を指示できることを示すステップをさらに備える、
ことを特徴とする請求項７または８に記載の電力制御情報を送信する方法。
【請求項１１】
前記ネットワーク側が、第１ＤＣＩフォーマット情報のＴＰＣフィールドにおいて非ＴＰＣ命令を設定しなければならないか否か設定するステップは、
前記ネットワーク側が、第１ＤＣＩフォーマット情報におけるＤＡＩにより、第１ＤＣＩフォーマット情報のＴＰＣフィールドにおいて非ＴＰＣ命令を設定しなければならないか否かを確認するステップを備えることを特徴とする請求項７または８に記載の電力制御情報を送信する方法。
【請求項１２】
第１ダウンリンク制御情報（ＤＣＩ）フォーマット情報を受信後、第１ＤＣＩフォーマット情報の送信電力制御（ＴＰＣ）フィールドに非ＴＰＣ命令があるか否かを判断する第１判断モジュールと、
前記第１ＤＣＩフォーマット情報のＴＰＣフィールドに非ＴＰＣ命令があり、かつ、第１ＤＣＩフォーマット情報を受信するダウンリンクサブフレームにおいて、第２ＤＣＩフォーマット情報を受信する場合、第２ＤＣＩフォーマット情報におけるＴＰＣ命令を用いて、物理アップリンク制御チャネル（ＰＵＣＣＨ）の電力制御を行う電力制御モジュールと、
を備えることを特徴とする電力制御を行う設備。
【請求項１３】
前記電力制御モジュールは、
前記第１ＤＣＩフォーマット情報のＴＰＣフィールドにＴＰＣ命令がある場合、第１ＤＣＩフォーマット情報におけるＴＰＣ命令を用いて物理アップリンク制御チャネル（ＰＵＣＣＨ）の電力制御を行い、
前記第１ＤＣＩフォーマット情報のＴＰＣフィールドに非ＴＰＣ命令があり、かつ、第１ＤＣＩフォーマット情報を受信するダウンリンクサブフレームにおいて、第２ＤＣＩフォーマット情報を受信しない場合、ＰＵＣＣＨの電力調整値が０であると確認することを特徴とする請求項１２に記載の電力制御を行う設備。
【請求項１４】
前記電力制御モジュールは、
前記第２ＤＣＩフォーマット情報のダウンリンクサブフレームにおいて第１ＤＣＩフォーマット情報を受信しない場合、第２ＤＣＩフォーマット情報におけるＴＰＣ命令を用いて、ＰＵＣＣＨの電力制御を行うことを特徴とする請求項１２に記載の電力制御を行う設備。
【請求項１５】
前記第１ＤＣＩフォーマット情報は、ＤＣＩフォーマット１Ａ、ＤＣＩフォーマット１Ｂ、ＤＣＩフォーマット１Ｄ、ＤＣＩフォーマット１、ＤＣＩフォーマット２Ａ、ＤＣＩフォーマット２Ｂ、ＤＣＩフォーマット２ＣおよびＤＣＩフォーマット２のうちの１つであり、
前記第２ＤＣＩフォーマット情報は、ＤＣＩフォーマット３ＡとＤＣＩフォーマット３の１つであることを特徴とする請求項１２〜１４のいずれかに記載の電力制御を行う設備。
【請求項１６】
前記第１判断モジュールは、
ネットワーク側により配置されたＰＵＣＣＨフォーマットに基づき、前記第１ＤＣＩフォーマットにおけるＴＰＣフィールドが非ＴＰＣ命令を指示できると確認後、第１ＤＣＩフォーマット情報のＴＰＣフィールドに非ＴＰＣ命令があるか否かを判断することを特徴とする請求項１２〜１４のいずれかに記載の電力制御を行う設備。
【請求項１７】
前記第１判断モジュールは、
第１ＤＣＩフォーマット情報におけるダウンリンク割当インデクス（ＤＡＩ）に基づき、第１ＤＣＩフォーマット情報のＴＰＣフィールドに非ＴＰＣ命令があるか否かを判断することを特徴とする請求項１２〜１４のいずれかに記載の電力制御を行う設備。
【請求項１８】
第１ダウンリンク制御情報（ＤＣＩ）フォーマット情報における送信電力制御（ＴＰＣ）フィールドにおいて非ＴＰＣ命令を設定しなければならないか否かを判断する第２判断モジュールと、
第１ＤＣＩフォーマット情報におけるＴＰＣフィールドにおいて非ＴＰＣ命令を設定しなければならない場合、第１ＤＣＩフォーマット情報のＴＰＣフィールドにおいて非ＴＰＣ命令を設定する設定モジュールと、
ダウンリンクサブフレームにおいて、前記第１ＤＣＩフォーマット情報および／または前記第２フォーマット情報を送信する送信モジュールと、を備え、
前記第２フォーマット情報におけるＴＰＣ命令は、物理アップリンク制御チャネル（ＰＵＣＣＨ）の電力情報であることを特徴とする電力制御情報を送信する設備。
【請求項１９】
前記設定モジュールは、第１ＤＣＩフォーマット情報におけるＴＰＣフィールドにＴＰＣ命令がある場合、第１ＤＣＩフォーマット情報のＴＰＣフィールドにおいて、設定ＴＰＣ命令を設定し、かつ、第１ＤＣＩフォーマット情報におけるＴＰＣ命令をＰＵＣＣＨの電力情報と設定し、
前記送信モジュールは、前記第１ＤＣＩフォーマット情報を送信することを特徴とする請求項１８に記載の電力制御情報を送信する設備。
【請求項２０】
前記第１ＤＣＩフォーマット情報は、ＤＣＩフォーマット１Ａ、ＤＣＩフォーマット１Ｂ、ＤＣＩフォーマット１Ｄ、ＤＣＩフォーマット１、ＤＣＩフォーマット２Ａ、ＤＣＩフォーマット２Ｂ、ＤＣＩフォーマット２ＣおよびＤＣＩフォーマット２のうちの１つであり、
前記第２ＤＣＩフォーマット情報は、ＤＣＩフォーマット３ＡとＤＣＩフォーマット３うちの１つであることを特徴とする請求項１８または１９に記載の電力制御情報を送信する設備。
【請求項２１】
前記設備は、
ユーザー設備にＰＵＣＣＨフォーマットを配置することにより、ユーザー設備ＴＰＣフィールドに対して非ＴＰＣ命令を指示できるか否かを示す、そして、ＴＰＣフィールドが非ＴＰＣ命令を指示できると確認後、第２判断モジュール１００をトリガーし、第１ＤＣＩフォーマット情報におけるＴＰＣフィールドを非ＴＰＣ命令とするか否かを判断する処理モジュールを備えることを特徴とする請求項１８または１９に記載の電力制御情報を送信する設備。
【請求項２２】
前記設定モジュールは、第１ＤＣＩフォーマット情報におけるＤＡＩにより、第１ＤＣＩフォーマット情報のＴＰＣフィールドにおいて非ＴＰＣ命令を設定しなければならないか否かを確認することを特徴とする請求項１８または１９に記載の電力制御情報を送信する設備。
【請求項２３】
ネットワーク側設備と、ユーザー設備とを備える電力制御システムであって、
前記ネットワーク側設備は、第１ダウンリンク制御情報（ＤＣＩ）フォーマット情報における送信電力制御（ＴＰＣ）フィールドにおいて非ＴＰＣ命令を設定しなければならないか否かを判断し、第１ＤＣＩフォーマット情報におけるＴＰＣフィールドにおいて非ＴＰＣ命令を設定しなければならない場合、第１ＤＣＩフォーマット情報のＴＰＣフィールドにおいて非ＴＰＣ命令を設定し、ダウンリンクサブフレームにおいて、前記第１ＤＣＩフォーマット情報および／または前記第２フォーマット情報を送信し、
前記第２フォーマット情報におけるＴＰＣ命令は、物理アップリンク制御チャネル（ＰＵＣＣＨ）の電力情報であり、
前記ユーザー設備は、第１ＤＣＩフォーマット情報を受信後、第１ＤＣＩフォーマット情報のＴＰＣフィールドにＴＰＣ命令があるか否かを判断し、前記第１ＤＣＩフォーマット情報のＴＰＣフィールドに非ＴＰＣ命令があり、かつ、第１ＤＣＩフォーマット情報を受信するダウンリンクサブフレームにおいて、第２ＤＣＩフォーマット情報を受信する場合、第２ＤＣＩフォーマット情報におけるＴＰＣ命令を用いて、ＰＵＣＣＨの電力制御を行うことを特徴とする電力制御システム。
【発明の詳細な説明】
【技術分野】
【０００１】
本出願は、２０１１年３月４日に中国特許局に提出し、出願番号が２０１１１００５３０９８．３であり、発明の名称が「電力制御情報の送信および電力制御の方法、システムおよび設備」である中国特許出願を基礎とする優先権を主張し、その開示の総てをここに取り込む。
本発明は無線通信技術分野に関し、特に電力制御情報の送信および電力制御の方法、システムおよび設備に関する。
【背景技術】
【０００２】
ロング・ターム・エボリューション（Long Term Evolution, LTE）システムにおけるサブフレームｉにおいて、物理アップリンク制御チャネル（Physical Uplink Control Channel, PUCCH）のユーザー設備（User Equipment, UE）の伝送電力ＰＰＵＣＣＨの設定を次の（式１）のとおりに定義する。
【数１】
0005612783.tif 000002
【０００３】
δＰＵＣＣＨは、ユーザー設備専用の修正値であり、即ち、送信電力制御（Transmit Power Control, TPC）命令であり、ダウンリンク制御情報（Downlink Control Information, DCI）を伝送するフォーマット１Ａ、１Ｂ、１Ｄ、１、２Ａ、２Ｂ、２Ｃおよび２の物理ダウンリンク制御チャネル（Physical Downlink Control Channel, PDCCH）に含まれるか、または、他のユーザー設備専用のＰＵＣＣＨ修正値と統合的にコード化を行って、ＤＣＩ伝送フォーマット３と３ＡのＰＤＣＣＨにて送信される。この時、巡回冗長検査（Cyclic Redundancy Check, CRC）パリティビットは、ＴＰＣ−ＰＵＣＣＨ−ＲＮＴＩ（Radio Network Temporary Identifier，無線ネットワーク臨時識別子）を用いて、コードをスクランブルする。
【０００４】
間欠受信（Discontinuous Reception, DRX）状態以外においては、ユーザー設備は、各ダウンリンクサブフレームにおいて、ユーザー設備専属のＴＰＣ−ＰＵＣＣＨ−ＲＮＴＩを用いて、ＤＣＩフォーマット３と３Ａを搬送するＰＤＣＣＨの復号を試さなければならない。さらに、ユーザー設備専属のセル無線ネットワーク臨時識別子（Cell Radio Network Temporary Identifier, C-RNTI）を用いて、ＤＣＩフォーマット１Ａ、１Ｂ、１Ｄ、１、２Ａ、２Ｂ、２Ｃおよび２を搬送する一つ或いは複数のＰＤＣＣＨの復号を試さなければならない。
【０００５】
もし、ＵＥがＤＣＩフォーマット１Ａ、１Ｂ、１Ｄ、１、２Ａ、２Ｂ、２Ｃおよび２を搬送するＰＤＣＣＨを検出し、検出したＲＮＴＩがＵＥのＣ−ＲＮＴＩを等しければ、ＵＥは、このＰＤＣＣＨより提供されるδＰＵＣＣＨを使用する。そうでなければ、もし、ＵＥがＤＣＩフォーマット３と３Ａを搬送するＰＤＣＣＨを検出すれば、ＵＥは、当該ＰＤＣＣＨより提供すされるδＰＵＣＣＨを使用する。そうでなければ、ＵＥはδＰＵＣＣＨ＝０ｄＢを設定する。
【０００６】
ＬＴＥ−Ａシステムにおいて、ＰＤＣＣＨオーバーヘッドを大きくさせないために、基地局は一部のＤＣＩビット情報を新たに定義し、他の情報を示す。例えば、ＤＣＩフォーマット１Ａ、１Ｂ、１Ｄ、１、２Ａ、２Ｂ、２Ｃおよび２におけるＤＡＩ≠１であれば、当該ＤＣＩにおけるＴＰＣフィールドはＰＵＣＣＨリソース指示情報を示す。この時、ＤＣＩフォーマット１Ａ、１Ｂ、１Ｄ、１、２Ａ、２Ｂ、２Ｃおよび２におけるＴＰＣフィールドワードは、電力制御情報を提供できない。
【発明の概要】
【発明が解決しようとする課題】
【０００７】
総じて、現在ＴＰＣフィールドが非ＴＰＣ命令を指示することに用いられる場合、ユーザー設備に電力制御情報を提供できず、ユーザー設備がＰＵＣＣＨの電力制御ができなくなり、これによりＰＵＣＣＨの電力精度の低下をもたらす。
【課題を解決するための手段】
【０００８】
本発明に係る実施形態は、従来技術におけるＴＰＣフィールドが非ＴＰＣ命令の指示に用いられる際、ユーザー設備がＰＵＣＣＨの電力制御できず、ＰＵＣＣＨの電力精度の低下をもたらすという問題を解決する、電力制御情報の送信および電力制御の方法、システムおよび設備を提供する。
【０００９】
本発明に係る電力制御の方法は、
ユーザー設備が第１ダウンリンク制御情報ＤＣＩフォーマット情報を受信後に、第１ＤＣＩフォーマット情報の送信電力制御（ＴＰＣ）フィールドにおいて非ＴＰＣ命令があるか否かを判断するステップと、
前記第１ＤＣＩフォーマット情報のＴＰＣフィールドにおいて非ＴＰＣ命令があり、かつ、前記ユーザー設備が第１ＤＣＩフォーマット情報を受信するダウンリンクサブフレームにおいて、第２ＤＣＩフォーマット情報を受信する場合、前記ユーザー設備が第２ＤＣＩフォーマット情報におけるＴＰＣ命令を用いて、物理アップリンク制御チャネル（ＰＵＣＣＨ）の電力制御を行うステップと、
を備える。
【００１０】
本発明に係る電力制御情報を送信する方法は、
ネットワーク側が、第１ダウンリンク制御情報（ＤＣＩ）フォーマット情報における送信電力制御（ＴＰＣ）フィールドにおいて、非ＴＰＣ命令を設定しなければならないか否かを判断するステップと、
第１ＤＣＩフォーマット情報におけるＴＰＣフィールドにおいて、非ＴＰＣ命令を設定しなければならない場合、前記ネットワーク側が第１ＤＣＩフォーマット情報のＴＰＣフィールドにおいて、非ＴＰＣ命令を設定するステップと、
前記ネットワーク側が、ダウンリンクサブフレームにおいて、前記第１ＤＣＩフォーマット情報および／または前記第２フォーマット情報を送信するステップと、
を備える。
ここで、前記第２フォーマット情報におけるＴＰＣ命令は、物理アップリンク制御チャネル（ＰＵＣＣＨ）の電力情報である。
【００１１】
本発明に係る電力制御を行う設備は、
第１ダウンリンク制御情報（ＤＣＩ）フォーマット情報を受信後、第１ＤＣＩフォーマット情報の送信電力制御（ＴＰＣ）フィールドにおいて非ＴＰＣ命令があるか否かを判断する第１判断モジュールと、
前記第１ＤＣＩフォーマット情報のＴＰＣフィールドが非ＴＰＣ命令であり、かつ、第１ＤＣＩフォーマット情報を受信するダウンリンクサブフレームにおいて、第２ＤＣＩフォーマット情報を受信する場合、第２ＤＣＩフォーマット情報におけるＴＰＣ命令を用いて、物理アップリンク制御チャネル（ＰＵＣＣＨ）の電力制御を行う電力制御モジュールと、を備える。
【００１２】
本発明に係る電力制御情報を送信する設備は、
第１ダウンリンク制御情報（ＤＣＩ）フォーマット情報における送信電力制御（ＴＰＣ）フィールドにおいて非ＴＰＣ命令を設定しなければならないか否かを判断する第２判断モジュールと、
第１ＤＣＩフォーマット情報におけるＴＰＣフィールドにおいて非ＴＰＣ命令を設定しなければならない場合、第１ＤＣＩフォーマット情報のＴＰＣフィールドにおいて非ＴＰＣ命令を設定する設定モジュールと、
ダウンリンクサブフレームにおいて、前記第１ＤＣＩフォーマット情報および／または前記第２フォーマット情報を送信する送信モジュールと、を備える。
ここで、前記第２フォーマット情報におけるＴＰＣ命令は、物理アップリンク制御チャネル（ＰＵＣＣＨ）の電力情報である。
【００１３】
本発明に係る実施例が提供する電力制御システムは、ネットワーク側設備と、ユーザー設備とを備え、
前記ネットワーク側設備は、第１ダウンリンク制御情報（ＤＣＩ）フォーマット情報における送信電力制御（ＴＰＣ）フィールドにおいて非ＴＰＣ命令を設定しなければならないか否かを判断し、第１ＤＣＩフォーマット情報におけるＴＰＣフィールドにおいて非ＴＰＣ命令を設定しなければならない場合、第１ＤＣＩフォーマット情報のＴＰＣフィールドにおいて非ＴＰＣ命令を設定し、ダウンリンクサブフレームにおいて、前記第１ＤＣＩフォーマット情報および／または前記第２フォーマット情報を送信し、ここで、前記第２フォーマット情報におけるＴＰＣ命令は、物理アップリンク制御チャネル（ＰＵＣＣＨ）の電力情報であり、
前記ユーザー設備は、第１ＤＣＩフォーマット情報を受信後、第１ＤＣＩフォーマット情報のＴＰＣフィールドにおいてＴＰＣ命令があるか否かを判断し、前記第１ＤＣＩフォーマット情報のＴＰＣフィールドに非ＴＰＣ命令があり、かつ、第１ＤＣＩフォーマット情報を受信するダウンリンクサブフレームにおいて、第２ＤＣＩフォーマット情報を受信する場合、第２ＤＣＩフォーマット情報におけるＴＰＣ命令を用いて、ＰＵＣＣＨの電力制御を行う。
【発明の効果】
【００１４】
本発明の実施形態において、ＴＰＣフィールドが非ＴＰＣ命令を指示する場合、ユーザー設備が、ネットワーク側が提供する電力制御情報を確認でき、かつ、ＰＵＣＣＨの電力制御を行うため、ＰＵＣＣＨの電力精度およびユーザー設備の性能を高められる。
【図面の簡単な説明】
【００１５】
【図１】本発明の実施形態において電力制御システムの構造を示す図である。
【図２】本発明の実施形態においてネットワーク側設備の構造を示す図である。
【図３】本発明の実施形態においてユーザー設備の構造を示す図である。
【図４】本発明の実施形態において電力制御情報を送信する方法のフローチャートである。
【図５】本発明の実施形態において電力制御を行う方法のフローチャートである。
【発明を実施するための形態】
【００１６】
本発明の実施形態において、ネットワーク側は、第１ＤＣＩフォーマット情報におけるＴＰＣフィールドに非ＴＰＣ命令がある場合、第１ＤＣＩフォーマット情報のＴＰＣフィールドに非ＴＰＣ命令を設定する。ユーザー設備が、受信した第１ＤＣＩフォーマット情報のＴＰＣフィールドに非ＴＰＣ命令があり、かつ、第１ＤＣＩフォーマット情報を受信するダウンリンクサブフレームにおいて、第２ＤＣＩフォーマット情報を受信後、第２ＤＣＩフォーマット情報におけるＴＰＣ命令を用いて、ＰＵＣＣＨの電力制御を行う。ＴＰＣフィールドが非ＴＰＣ命令を指示する場合、ユーザー設備が、ネットワーク側が提供する電力制御情報を確認でき、かつ、ＰＵＣＣＨの電力制御を行うため、ＰＵＣＣＨの電力精度およびユーザー設備の性能を高める。
【００１７】
ここで、本発明の実施形態において、第１ＤＣＩフォーマット情報は、以下の情報を含むがこれに限らない：
ＤＣＩフォーマット１Ａ、ＤＣＩフォーマット１Ｂ、ＤＣＩフォーマット１Ｄ、ＤＣＩフォーマット１、ＤＣＩフォーマット２Ａ、ＤＣＩフォーマット２Ｂ、ＤＣＩフォーマット２ＣおよびＤＣＩフォーマット２。
【００１８】
本発明の実施形態において、第２ＤＣＩフォーマット情報は、以下の情報を含むがこれに限らない：
ＤＣＩフォーマット３ＡとＤＣＩフォーマット３。
【００１９】
以下の説明について、先にネットワーク側とユーザー設備側の協動から記述し、最後にネットワーク側とユーザー設備側からそれぞれ記述する。しかし、両者は必ず協動しなければならないということではなく、実際は、ネットワーク側とユーザー設備側が別々に実行する場合にも、ネットワーク側、ユーザー設備側に存在する問題をそれぞれ解決する。但し、両者を合わせて使用する場合に、より良い技術効果を得られる。
【００２０】
図１は、本発明に係る電力制御システムであり、ネットワーク側設備１０とユーザー設備２０とを備える。
【００２１】
ネットワーク側設備１０は、第１ＤＣＩフォーマット情報におけるＴＰＣフィールドにおいて非ＴＰＣ命令を設定しなければならないか否かを判断する。第１ＤＣＩフォーマット情報におけるＴＰＣフィールドにおいて非ＴＰＣ命令を設定しなければならない場合、第１ＤＣＩフォーマット情報のＴＰＣフィールドにおいて非ＴＰＣ命令と設定し（即ち、ＴＰＣ命令は他の情報を示す）、ダウンリンクサブフレームにおいて、第１ＤＣＩフォーマット情報および／または第２フォーマット情報を送信する。ここで、第２フォーマット情報におけるＴＰＣ命令をＰＵＣＣＨの電力情報とする。
【００２２】
ユーザー設備２０が、ネットワーク側設備１０からの第１ＤＣＩフォーマット情報を受信後、第１ＤＣＩフォーマット情報のＴＰＣフィールドにおいて非ＴＰＣ命令であると判断する。第１ＤＣＩフォーマット情報のＴＰＣフィールドにおいて非ＴＰＣ命令とする。かつ、第１ＤＣＩフォーマット情報を受信するダウンリンクサブフレームにおいて、第２ＤＣＩフォーマット情報を受信後、第２ＤＣＩフォーマット情報におけるＴＰＣ命令を用いて、ＰＵＣＣＨの電力制御を行う。
【００２３】
ここで、ネットワーク側設備１０が、第１ＤＣＩフォーマット情報におけるＴＰＣフィールドに非ＴＰＣ命令を設置する場合、第１ＤＣＩフォーマット情報のＴＰＣフィールドにおいて非ＴＰＣ命令と設定後、ＴＰＣフィールドにける非ＴＰＣ命令である第１ＤＣＩフォーマット情報のみを送信できる。ＴＰＣ命令がＰＵＣＣＨの電力情報である第２ＤＣＩフォーマット情報のみを送信できる。好ましくは、ダウンリンクサブフレームにおいて、ＴＰＣフィールドにおいて非ＴＰＣ命令である第１ＤＣＩフォーマット情報とＴＰＣ命令がＰＵＣＣＨの電力情報である第２ＤＣＩフォーマット情報を送信できる。
【００２４】
当然、ネットワーク側設備１０は、続けてＴＰＣ命令をＰＵＣＣＨの電力情報とする第１ＤＣＩフォーマット情報を送信できる。
【００２５】
好ましくは、ネットワーク側設備１０が、第１ＤＣＩフォーマット情報におけるＴＰＣフィールドがＴＰＣ命令である場合、第１ＤＣＩフォーマット情報のＴＰＣフィールドにおいてＴＰＣ命令を設定後、ＴＰＣフィールドにおいてＴＰＣ命令である第１ＤＣＩフォーマット情報のみを送信できる。ＴＰＣ命令がＰＵＣＣＨの電力情報である第２ＤＣＩフォーマット情報のみを送信もできる。さらに、ダウンリンクサブフレームにおいて、ＴＰＣフィールドにおいてＴＰＣ命令である第１ＤＣＩフォーマット情報とＴＰＣ命令がＰＵＣＣＨの電力情報である第２ＤＣＩフォーマット情報を送信できる。
【００２６】
上述のいかなる方法を用いてフォーマット情報を送信しても、ユーザー設備２０について、もし、第１ＤＣＩフォーマット情報を受信すれば、第１ＤＣＩフォーマット情報を受信後、第１ＤＣＩフォーマット情報の送信電力制御（ＴＰＣ）フィールドに非ＴＰＣ命令があるか否かを判断する。第１ＤＣＩフォーマット情報のＴＰＣフィールドに非ＴＰＣ命令があり、かつ、第１ＤＣＩフォーマット情報を受信するダウンリンクサブフレームにおいて、第２ＤＣＩフォーマット情報を受信後、第２ＤＣＩフォーマット情報におけるＴＰＣ命令を用いて、ＰＵＣＣＨの電力制御を行う。
【００２７】
ユーザー設備２０は、第１ＤＣＩフォーマット情報の送信電力制御（ＴＰＣ）フィールドに非ＴＰＣ命令がある否かを判断後、もし、第１ＤＣＩフォーマット情報のＴＰＣフィールドにＴＰＣ命令があると確認すれば、第２ＤＣＩフォーマット情報を受信しようとしていまいと、すべて第１ＤＣＩフォーマット情報におけるＴＰＣ命令を用いて、ＰＵＣＣＨの電力制御を行う。
【００２８】
ユーザー設備２０は、第１ＤＣＩフォーマット情報の送信電力制御（ＴＰＣ）フィールドにおいて非ＴＰＣ命令があるか否かを判断後、もし、第１ＤＣＩフォーマット情報のＴＰＣフィールドにおいて非ＴＰＣ命令があると確認し、かつ、第１ＤＣＩフォーマット情報を受信するダウンリンクサブフレームにおいて、第２ＤＣＩフォーマット情報を受信していなければ、ＰＵＣＣＨの電力調整値は０であると確認する。この時、ユーザー設備２０は、ＰＵＣＣＨの電力制御を行わなくても良く、０に基づき、調整しても良い。
【００２９】
もし、ユーザー設備２０が第２ＤＣＩフォーマット情報を受信し、かつ、第２ＤＣＩフォーマット情報を受信するダウンリンクサブフレームにおいて、第１ＤＣＩフォーマット情報を受信していなければ、その後に、第２ＤＣＩフォーマット情報におけるＴＰＣ命令を用いて、ＰＵＣＣＨの電力制御を行う。
【００３０】
ユーザー設備２０が毎回判断することを避けるため、好ましくは、スイッチを設定できる。かつ、第１ＤＣＩフォーマット情報のＴＰＣフィールドが非ＴＰＣ命令を指示することができてはじめてユーザー設備２０は判断する。
【００３１】
具体的に、ネットワーク側設備１０は、前記ユーザー設備によりＰＵＣＣＨフォーマットを配置でき、前記ユーザー設備の前記第１ＤＣＩフォーマットにおけるＴＰＣフィールドが非ＴＰＣ命令を指示できるか否かを示す。例えば、第１ＤＣＩフォーマット情報のＴＰＣフィールドが非ＴＰＣ命令を指示できると確認後、ユーザー設備２０の第１ＤＣＩフォーマット情報のＴＰＣフィールドが非ＴＰＣ命令を指示できると通知する。これに応じて、ユーザー設備２０は通知に基づき、第１ＤＣＩフォーマット情報のＴＰＣフィールドが非ＴＰＣ命令を指示できると確認してはじめて第１ＤＣＩフォーマット情報のＴＰＣフィールドにおいて非ＴＰＣ命令とするか否かを判断する。
【００３２】
ネットワーク側設備１０が、ユーザー設備２０の第１ＤＣＩフォーマット情報のＴＰＣフィールドが非ＴＰＣ命令を指示できるか否かを通知する方法は多くある。例えば、送信ビット情報では、「１」は指示できることを示し、「０」は指示できないことを示す。
【００３３】
好ましくは、ネットワーク側設備１０は、ユーザー設備２０によりＰＵＣＣＨフォーマットを配置でき、ユーザー設備２０の第１ＤＣＩフォーマット情報を示すＴＰＣフィールドは非ＴＰＣ命令を指示できる。これに応じて、ユーザー設備２０は、ネットワーク側設備１０が配置したＰＵＣＣＨフォーマットに基づき、第１ＤＣＩフォーマット情報のＴＰＣフィールドが非ＴＰＣ命令を指示できると確認する。
【００３４】
例えば、ＰＵＣＣＨフォーマット３とチャネル選択と結合したＰＵＣＣＨフォーマット1ｂは、第１ＤＣＩフォーマット情報のＴＰＣフィールドに対応し、非ＴＰＣ命令を指示できる。ＰＵＣＣＨフォーマット１／ｌａ／ｌｂは、第１ＤＣＩフォーマット情報のＴＰＣフィールドに対応し、非ＴＰＣ命令を指示できない。ネットワーク側設備１０が、ユーザー設備２０にＰＵＣＣＨフォーマット３、またはチャネルが選択と結合したＰＵＣＣＨフォーマット1ｂを配置すれば、第１ＤＣＩフォーマットにおけるＴＰＣフィールドは非ＴＰＣ命令を指示できる。ネットワーク側設備１０が、ユーザー設備２０にＰＵＣＣＨフォーマット１／ｌａ／ｌｂを配置すれば、第１ＤＣＩフォーマットにおけるＴＰＣフィールドはＴＰＣ命令を指示できない。これに応じて，ユーザー設備２０は、配置したＰＵＣＣＨフォーマットに基づき、第１ＤＣＩフォーマットにおけるＴＰＣフィールドが非ＴＰＣ命令を指示できるか否かを知ることができる。
【００３５】
実施過程において、ネットワーク側設備１０が、ユーザー設備２０の第１ＤＣＩフォーマット情報のＴＰＣフィールドにおいて非ＴＰＣ命令であるか否かを通知する方法は多くある。例えば、ネットワーク側設備１０が、ユーザー設備２０へ通知メッセージを送信し、ユーザー設備２０の第１ＤＣＩフォーマット情報のＴＰＣフィールドに非ＴＰＣ命令があるか否かを通知する方法である。これに応じて、ユーザー設備２０は、受信した通知メッセージに基づき、第１ＤＣＩフォーマット情報のＴＰＣフィールドに非ＴＰＣ命令があるか否かを知る方法である。
【００３６】
好ましくは、ネットワーク側設備１０は、第１ＤＣＩフォーマット情報におけるダウンリンク割当インデックス（Downlink Assignment Index, DAI）により、第１ＤＣＩフォーマット情報のＴＰＣフィールドにおいて非ＴＰＣ命令或いはＴＰＣ命令を設定する。これに応じて、ユーザー設備２０は、第１ＤＣＩフォーマット情報におけるダウンリンク割当インデクス（ＤＡＩ）に基づき、第１ＤＣＩフォーマット情報のＴＰＣフィールドに非ＴＰＣ命令があるか否かを判断する。
【００３７】
例えば、ＤＡＩは「１」に対応するＴＰＣフィールドにＴＰＣ命令があり、ＤＡＩは「２」、「３」および「４」に対応するＴＰＣフィールドに非ＴＰＣ命令があれば、ネットワーク側設備１０は、ＤＡＩを１とする第１ＤＣＩフォーマット情報のＴＰＣフィールドにおいてＴＰＣ命令を設定し、ＤＡＩを１としない第１ＤＣＩフォーマット情報のＴＰＣフィールドにおいて非ＴＰＣ命令を設定する方法がある。これに応じて、ユーザー設備２０は、ＤＡＩの値に基づき、第１ＤＣＩフォーマット情報のＴＰＣフィールドにおいて非ＴＰＣ命令であるか否かを知る。
【００３８】
以下に具体的な実施形態を記述する。
【００３９】
もし、システムがＤＡＩ＝１に対応するＤＣＩフォーマット１Ａ／１Ｂ／１Ｄ／１／２Ａ／２Ｂ／２Ｃ／２において、ＴＰＣフィールドはＰＵＣＣＨの電力制御情報を示し、ＤＡＩが他の値に対応するＤＣＩフォーマット１Ａ／１Ｂ／１Ｄ／１／２Ａ／２Ｂ／２Ｃ／２において、ＴＰＣフィールドはＰＵＣＣＨリソースを示す、と規定すれば、
もし、ユーザー設備２０がＤＣＩフォーマット１Ａ／１Ｂ／１Ｄ／１／２Ａ／２Ｂ／２Ｃ／２を搬送するＰＤＣＣＨを復号し、かつ、ＲＮＴＩはユーザー設備２０のＣ−ＲＮＴＩを等しいと検出し、かつ、ＤＡＩ＝１であれば、ユーザー設備２０は、このＰＤＣＣＨにより提供されるδＰＵＣＣＨを用いてＰＵＣＣＨの電力制御を行う。
【００４０】
もしそうでなければ、ユーザー設備２０が、ＤＣＩフォーマット３／３Ａを搬送するＰＤＣＣＨ（ＤＣＩフォーマット３／３Ａのみを受信、またはサブフレームにおいて、同時にＤＣＩフォーマット１Ａ／１Ｂ／１Ｄ／１／２Ａ／２Ｂ／２Ｃ／２および／ＤＣＩフォーマット３／３Ａを受信することを含むが、ＤＣＩフォーマット１Ａ／１Ｂ／１Ｄ／１／２Ａ／２Ｂ／２Ｃ／２におけるＤＡＩ≠ｌ）を復号し、ユーザー設備２０は、当該ＰＤＣＣＨにより提供されるδＰＵＣＣＨを用いてＰＵＣＣＨの電力制御を行う。
【００４１】
もしそうでなければ、ＤＣＩフォーマット１Ａ／１Ｂ／１Ｄ／１／２Ａ／２Ｂ／２Ｃ／２におけるＤＡＩ≠１、かつ、ＤＣＩフォーマット３／３Ａを受信していなければ、ユーザー設備２０はδＰＵＣＣＨ＝０ｄＢを設定する。
【００４２】
ここで、本発明の実施形態におけるネットワーク側設備は基地局（例えば、マクロ基地局、ホーム基地局等）でも良く、ＲＮ（中継）設備でも良く、さらに他のネットワーク側設備でも良い。
【００４３】
同様の発明構想において、本発明に係る実施形態は、ネットワーク側設備、ユーザー設備の電力制御情報を送信する方法および電力制御を行う方法を提供しており、これらの設備と方法により解決される問題の原理と電力制御システムは類似している。そのため、これらの設備と方法の実施形態についてはシステムの実施形態を参照できる。よって、ここでは説明を繰り返さない。
【００４４】
図２は、本発明に係るネットワーク側設備であり、第２判断モジュール１００と、設定モジュール１１０と、送信モジュール１２０とを備える。
【００４５】
第２判断モジュール１００は、第１ＤＣＩフォーマット情報におけるＴＰＣフィールドにおいて非ＴＰＣ命令を設定しなければならないか否かを判断する。
【００４６】
設定モジュール１１０は、第１ＤＣＩフォーマット情報におけるＴＰＣフィールドにおいて非ＴＰＣ命令を設定しなければならない場合、第１ＤＣＩフォーマット情報のＴＰＣフィールドにおいて非ＴＰＣ命令を設定する。
【００４７】
送信モジュール１２０は、ダウンリンクサブフレームにおいて、第１ＤＣＩフォーマット情報および／または第２フォーマット情報を送信する。
【００４８】
ここで、第２フォーマット情報におけるＴＰＣ命令をＰＵＣＣＨの電力情報とする。
【００４９】
好ましくは、設定モジュール１１０が、第１ＤＣＩフォーマット情報におけるＴＰＣフィールドにおいてＴＰＣ命令を設定する場合、第１ＤＣＩフォーマット情報のＴＰＣフィールドにおいてＴＰＣ命令を設定し、かつ、第１ＤＣＩフォーマット情報におけるＴＰＣ命令をＰＵＣＣＨの電力情報と設定する。
【００５０】
これに応じて、送信モジュール１２０は、第１ＤＣＩフォーマット情報を送信する。
【００５１】
好ましくは、本発明に係る実施形態において、ネットワーク側設備はさらに処理モジュール１３０を備える。
【００５２】
処理モジュール１３０は、ユーザー設備にＰＵＣＣＨフォーマットを配置することにより、ユーザー設備ＴＰＣフィールドが非ＴＰＣ命令を指示できるか否かを示す。そして、ＴＰＣフィールドが非ＴＰＣ命令を指示できると確認後、第２判断モジュール１００をトリガーし、第１ＤＣＩフォーマット情報におけるＴＰＣフィールドに非ＴＰＣ命令があるか否かを判断する。
【００５３】
好ましくは、設定モジュール１１０は、第１ＤＣＩフォーマット情報におけるＤＡＩにより、第１ＤＣＩフォーマット情報のＴＰＣフィールドにおいて非ＴＰＣ命令またはＴＰＣ命令を設定する。
【００５４】
図３は、本発明に係るユーザー設備であり、第１判断モジュール２００と電力制御モジュール２１０とを備える。
【００５５】
第１判断モジュール２００は、第１ＤＣＩフォーマット情報を受信後、第１ＤＣＩフォーマット情報のＴＰＣフィールドに非ＴＰＣ命令があるか否かを判断する。
【００５６】
電力制御モジュール２１０は、第１ＤＣＩフォーマット情報のＴＰＣフィールドに非ＴＰＣ命令を設定する。かつ、第１ＤＣＩフォーマット情報を受信すると同時に第２ＤＣＩフォーマット情報を受信後、第２ＤＣＩフォーマット情報におけるＴＰＣ命令を用いて、ＰＵＣＣＨの電力制御を行う。
【００５７】
好ましくは、電力制御モジュール２１０が、第１ＤＣＩフォーマット情報のＴＰＣフィールドにＴＰＣ命令があれば、第１ＤＣＩフォーマット情報におけるＴＰＣ命令を用いて、ＰＵＣＣＨの電力制御を行う。第１ＤＣＩフォーマット情報のＴＰＣフィールドにおいて非ＴＰＣ命令を設定する。かつ、第１ＤＣＩフォーマット情報を受信すると同時に、第２ＤＣＩフォーマット情報を受信しなければ、ＰＵＣＣＨの電力調整値は０であると確認する。
【００５８】
好ましくは、電力制御モジュール２１０は、第２ＤＣＩフォーマット情報を受信したと同時に、第１ＤＣＩフォーマット情報を受信しなければ、第２ＤＣＩフォーマット情報におけるＴＰＣ命令を用いて、ＰＵＣＣＨの電力制御を行う。
【００５９】
好ましくは、第１判断モジュール２００が、ネットワーク側配置したＰＵＣＣＨフォーマットに基づき、ＴＰＣフィールドが非ＴＰＣ命令を指示できると確認後、第１ＤＣＩフォーマット情報のＴＰＣフィールドにＴＰＣ命令があるか否かを判断する。
【００６０】
好ましくは、第１判断モジュール２００は、第１ＤＣＩフォーマット情報におけるダウンリンク割当インデクス（ＤＡＩ）に基づき、第１ＤＣＩフォーマット情報のＴＰＣフィールドにおいてＴＰＣ命令であるか否かを判断する。
【００６１】
図４は本発明に係る電力制御情報を送信する方法であり、以下のステップを備える。
【００６２】
ステップ４０１において、ネットワーク側は、第１ＤＣＩフォーマット情報におけるＴＰＣフィールドにおいて非ＴＰＣ命令を設定しなければならないか否かを判断する。
【００６３】
ステップ４０２において、ネットワーク側が、第１ＤＣＩフォーマット情報におけるＴＰＣフィールドには非ＴＰＣ命令を設定しなければならないと確認した場合、第１ＤＣＩフォーマット情報のＴＰＣフィールドにおいて非ＴＰＣ命令を設定する。第１ＤＣＩフォーマット情報におけるＴＰＣフィールドがＴＰＣ命令を設定しなければならない場合、第１ＤＣＩフォーマット情報のＴＰＣフィールドにおいてＴＰＣ命令を設定する。
【００６４】
ステップ４０３において、ネットワーク側ダウンリンクサブフレームにおいて、第１ＤＣＩフォーマット情報および／または第２フォーマット情報を送信する。ここで、第２フォーマット情報におけるＴＰＣ命令をＰＵＣＣＨの電力情報とする。
【００６５】
ステップ４０３において、ネットワーク側が、第１ＤＣＩフォーマット情報におけるＴＰＣフィールドに非ＴＰＣ命令がある場合、第１ＤＣＩフォーマット情報のＴＰＣフィールドにおいて非ＴＰＣ命令を設定後、ＴＰＣフィールドにおいて非ＴＰＣ命令である第１ＤＣＩフォーマット情報のみを送信できる。ＴＰＣ命令がＰＵＣＣＨの電力情報である第２ＤＣＩフォーマット情報のみを送信できる。好ましくは、ダウンリンクサブフレームにおいて、ＴＰＣフィールドにおいて非ＴＰＣ命令である第１ＤＣＩフォーマット情報と、ＴＰＣ命令がＰＵＣＣＨの電力情報である第２ＤＣＩフォーマット情報を送信できる。
【００６６】
当然、ネットワーク側はさらに、続けてＴＰＣ命令がＰＵＣＣＨの電力情報である第１ＤＣＩフォーマット情報を送信できる。
【００６７】
好ましくは、ステップ４０３において、ネットワーク側が、第１ＤＣＩフォーマット情報におけるＴＰＣフィールドにＴＰＣ命令がある場合、第１ＤＣＩフォーマット情報のＴＰＣフィールドにおいてＴＰＣ命令を設定後、ＴＰＣフィールドにおいてＴＰＣ命令である第１ＤＣＩフォーマット情報のみを送信でき、ＴＰＣ命令がＰＵＣＣＨの電力情報である第２ＤＣＩフォーマット情報のみも送信できる。さらに、ダウンリンクサブフレームにおいて、ＴＰＣフィールドにおいてＴＰＣ命令である第１ＤＣＩフォーマット情報と、ＴＰＣ命令がＰＵＣＣＨの電力情報である第２ＤＣＩフォーマット情報を送信できる。
【００６８】
ユーザー設備が毎回判断を行うことを避けるために、好ましくは、スイッチを設定できる。かつ、第１ＤＣＩフォーマット情報のＴＰＣフィールドが非ＴＰＣ命令を指示してはじめてユーザー設備は判断を行う。
【００６９】
具体的に、ネットワーク側が、第１ＤＣＩフォーマット情報におけるＴＰＣフィールドが非ＴＰＣ命令を指示できるか否かを判断する前に、もし、ＴＰＣフィールドが非ＴＰＣ命令を指示できると確認すれば、第１ＤＣＩフォーマット情報を送信する前に、ユーザー設備ＴＰＣフィールドが非ＴＰＣ命令を指示できると通知する。
【００７０】
ネットワーク側が、ユーザー設備にＴＰＣフィールドが非ＴＰＣ命令を指示できるか否かを通知する方法は多くある。例えば、送信ビット情報では、「１」は指示できることを示し、「０」は指示できないことを示す。
【００７１】
好ましくは、ネットワーク側は、ユーザー設備にＰＵＣＣＨフォーマットを配置することにより、ユーザー設備ＴＰＣフィールドが非ＴＰＣ命令を指示できるか否かを示すことができる。
【００７２】
例えば、ＰＵＣＣＨフォーマット３とチャネル選択と結合したＰＵＣＣＨフォーマット1ｂは、ＴＰＣフィールドに対応し、非ＴＰＣ命令を指示できる。ＰＵＣＣＨフォーマット１／ｌａ／ｌｂは、ＴＰＣフィールドに対応し、非ＴＰＣ命令を指示できない。ネットワーク側が、ユーザー設備にＰＵＣＣＨフォーマット３、またはチャネル選択と結合したＰＵＣＣＨフォーマット1ｂを配置すれば、第１ＤＣＩフォーマットにおけるＴＰＣフィールドが非ＴＰＣ命令を指示できる。ネットワーク側が、ユーザー設備にＰＵＣＣＨフォーマット１／ｌａ／ｌｂを配置すれば、第１ＤＣＩフォーマットにおけるＴＰＣフィールドは、非ＴＰＣ命令を指示できない。
【００７３】
ステップ４０２において、ネットワーク側が、ユーザー設備の第１ＤＣＩフォーマット情報のＴＰＣフィールドに非ＴＰＣ命令があるか否かを通知する方法は多くある。例えば、ネットワーク側は、ユーザー設備へ通知メッセージを送信し、ユーザー設備の第１ＤＣＩフォーマット情報のＴＰＣフィールドにＴＰＣ命令があるか否かを通知する。
【００７４】
好ましくは、ネットワーク側は、第１ＤＣＩフォーマット情報におけるＤＡＩにより、第１ＤＣＩフォーマット情報のＴＰＣフィールドにおいて非ＴＰＣ命令或いはＴＰＣ命令を設定する。
【００７５】
例えば、ＤＡＩは「１」に対応するＴＰＣフィールドにおいてＴＰＣ命令であり、ＤＡＩは「２」、「３」および「４」に対応するＴＰＣフィールドにおいて非ＴＰＣ命令であれば、ネットワーク側は、ＤＡＩを１とする第１ＤＣＩフォーマット情報のＴＰＣフィールドにおいてＴＰＣ命令を設定し、ＤＡＩを１としない第１ＤＣＩフォーマット情報のＴＰＣフィールドにおいて非ＴＰＣ命令を設定する。
【００７６】
図５は、本発明に係る電力制御を行う方法であり、以下のステップを備える。
【００７７】
ステップ５０１において、ユーザー設備が、第１ＤＣＩフォーマット情報を受信後、第１ＤＣＩフォーマット情報の送信電力制御（ＴＰＣ）フィールドに非ＴＰＣ命令があるか否かを判断する。
【００７８】
ステップ５０２において、ユーザー設備が、第１ＤＣＩフォーマット情報のＴＰＣフィールドにＴＰＣ命令があり、かつ、第１ＤＣＩフォーマット情報を受信するダウンリンクサブフレームにおいて、第２ＤＣＩフォーマット情報を受信後、第２ＤＣＩフォーマット情報におけるＴＰＣ命令を用いて、ＰＵＣＣＨの電力制御を行う。
【００７９】
ユーザー設備について、もし、第１ＤＣＩフォーマット情報を受信すれば、第１ＤＣＩフォーマット情報を受信後、第１ＤＣＩフォーマット情報の送信電力制御（ＴＰＣ）フィールドに非ＴＰＣ命令があるか否かを判断する。第１ＤＣＩフォーマット情報のＴＰＣフィールドに非ＴＰＣ命令があり、かつ、第１ＤＣＩフォーマット情報を受信するダウンリンクサブフレームにおいて、第２ＤＣＩフォーマット情報を受信後、第２ＤＣＩフォーマット情報におけるＴＰＣ命令を用いて、ＰＵＣＣＨの電力制御を行う。
【００８０】
ユーザー設備が、第１ＤＣＩフォーマット情報の送信電力制御（ＴＰＣ）フィールドに非ＴＰＣ命令があるか否かを判断後、もし、第１ＤＣＩフォーマット情報のＴＰＣフィールドにＴＰＣ命令があると確認すれば、第２ＤＣＩフォーマット情報を受信しようとしていまいと、すべて第１ＤＣＩフォーマット情報におけるＴＰＣ命令を用いて、ＰＵＣＣＨの電力制御を行う。
【００８１】
ユーザー設備が、第１ＤＣＩフォーマット情報の送信電力制御（ＴＰＣ）フィールドに非ＴＰＣ命令があるか否かを判断後、もし、第１ＤＣＩフォーマット情報のＴＰＣフィールドに非ＴＰＣ命令があると確認し、かつ、第１ＤＣＩフォーマット情報を受信するダウンリンクサブフレームにおいて、第２ＤＣＩフォーマット情報を受信しなければ、ＰＵＣＣＨの電力調整値は０であると確認する。この時、ユーザー設備は、ＰＵＣＣＨの電力制御を行わなくても良く、０に基づき、調整しても良い。
【００８２】
もし、ユーザー設備が第２ＤＣＩフォーマット情報を受信し、かつ、第２ＤＣＩフォーマット情報を受信するダウンリンクサブフレームにおいて、第１ＤＣＩフォーマット情報を受信しなければ、第２ＤＣＩフォーマット情報におけるＴＰＣ命令を用いて、ＰＵＣＣＨの電力制御を行う。
【００８３】
ユーザー設備が毎回判断を行うことを避けるため、好ましくは、スイッチを設定できる。かつ、ＴＰＣフィールドが非ＴＰＣ命令を指示できてはじめてユーザー設備は判断を行う。
【００８４】
具体的に、ユーザー設備に基づき、ネットワーク側からの通知は、ＴＰＣフィールドが非ＴＰＣ命令を指示できると確認してはじめて第１ＤＣＩフォーマット情報のＴＰＣフィールドに非ＴＰＣ命令であるか否かを判断する。
【００８５】
好ましくは、もし、ネットワーク側がＰＵＣＣＨフォーマットにより、ユーザー設備ＴＰＣフィールドは非ＴＰＣ命令を指示できると示せば、ユーザー設備ネットワーク側は、配置したＰＵＣＣＨフォーマットに基づき、ＴＰＣフィールドが非ＴＰＣ命令を指示できると確認する。
【００８６】
実施過程において、ユーザー設備は、受信したネットワーク側からの通知メッセージに基づき、第１ＤＣＩフォーマット情報のＴＰＣフィールドに非ＴＰＣ命令があるか否かを確認できる方法である。
【００８７】
好ましくは、もし、ネットワーク側が第１ＤＣＩフォーマット情報におけるＤＡＩにより、第１ＤＣＩフォーマット情報のＴＰＣフィールドにおいて非ＴＰＣ命令或いはＴＰＣ命令を設定すれば、ステップ５０１においてユーザー設備は第１ＤＣＩフォーマット情報におけるＤＡＩに基づき、第１ＤＣＩフォーマット情報のＴＰＣフィールドに非ＴＰＣ命令があるか否かを判断する。
【００８８】
ここで、図４と図５はフローをあわせて新たな電力制御を行う方法を形成できる。即ち、先に、ステップ４０１〜ステップ４０３を実行し、さらにステップ５０１とステップ５０２を実行する。
【００８９】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【００９０】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【００９１】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【００９２】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【００９３】
本発明の好ましい実施形態において記述したが、当業者は、本発明の基本的な技術思想を把握した上、多種多様な変更と変形を行える。そのような全ての変形と変更は発明に記述された実施形態と共に、付加する請求の範囲の範囲内にあると解釈されるべきである。
【００９４】
ＴＰＣフィールドが非ＴＰＣ命令を指示する場合、ユーザー設備が、ネットワーク側が提供する電力制御情報を確認でき、かつ、ＰＵＣＣＨの電力制御を行うため、ＰＵＣＣＨの電力精度およびユーザー設備の性能を高める。
【００９５】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
0005612783.tif 000003
【図２】
0005612783.tif 000004
【図３】
0005612783.tif 000005
【図４】
0005612783.tif 000006
【図５】
0005612783.tif 000007